(57)【要約】【課題】回動可能なアクチュエータを備えたコネクタ装置であって、全体寸法の増大をまねかない比較的簡単な構成をもって、アクチュエータのハウジングからの不所望な離脱を適正かつ確実に防止することができるものを提供する。【解決手段】ハウジング（１１）と、複数のコンタクトと、各コンタクトをハウジング内に差し込まれたフレキシブル印刷配線基板（５０）における接触端子部に対する押圧接触状態から開放する位置と各コンタクトに接触端子部に対する押圧接触状態をとらせる位置とをとるアクチュエータ（２５）と、ハウジングに配された固定部材（２１）とを備えて成り、固定部材が、ハウジングに固着される本体部（４１）と、本体部から伸びてアクチュエータの端部（２９）に設けられた突起部（３１）を部分的に囲う屈曲腕状部（４２）と、屈曲腕状部の先端部分を成してハウジングに連結される連結部（４２ａ）とを有する。【選択図】  図１２
2016081754.tif 000002
【特許請求の範囲】
【請求項１】
板状部材差込み部が設けられたハウジングと、
該ハウジングに配列配置され、上記板状部材差込み部を通じて上記ハウジングに差し込まれた配線板状部材における複数の接触端子部に夫々対応する位置をとるものとされる複数のコンタクトと、
上記ハウジングに対して回動可能に設けられて第１の静止位置と第２の静止位置とを選択的にとり、上記複数のコンタクトに係合して、上記配線板状部材が上記板状部材差込み部を通じて上記ハウジング内に差し込まれたもとで、上記第１の静止位置から上記第２の静止位置に移行せしめられるとき、上記複数のコンタクトの夫々に上記複数の接触端子部のうちの対応するものに対する押圧接触状態をとらせ、上記第２の静止位置から上記第１の静止位置に移行せしめられるとき、上記複数のコンタクトの夫々を上記複数の接触端子部のうちの対応するものに対する押圧接触状態から解放するアクチュエータと、
上記ハウジングに配されて上記アクチュエータの上記ハウジングからの離脱を防止する状態をとる固定部材と、
を備えて構成され、
上記固定部材が、上記ハウジングに固着される本体部と、該本体部から伸びて上記アクチュエータにおける上記複数のコンタクトの配列方向の端部に設けられた突起部を部分的に囲う屈曲腕状部と、該屈曲腕状部の先端部分を成して上記ハウジングあるいは上記本体部から突出する突出部に連結される連結部とを有し、上記連結部が上記ハウジングあるいは上記突出部に連結されたもとで、上記屈曲腕状部が上記アクチュエータにおける上記突起部に対する位置規制を行うことを特徴とするコネクタ装置。
【請求項２】
上記ハウジングにおける上記固定部材が有する上記屈曲腕状部の先端部分に対応する位置に孔部が設けられ、該孔部に上記連結部が挿入されることを特徴とする請求項１記載のコネクタ装置。
【請求項３】
上記固定部材における上記連結部と上記本体部から突出する突出部とが一体化されて相互連結されることにより上記屈曲腕状部と上記連結部と上記突出部とを含んで成る環状体が形成され、該環状体の内側に上記アクチュエータにおける上記突起部が位置することを特徴とする請求項１記載のコネクタ装置。
【請求項４】
上記固定部材が、金属板状材の打抜き加工が施されて形成されていることを特徴とする請求項１記載のコネクタ装置。
【請求項５】
上記固定部材が、上記ハウジングにおける上記複数のコンタクトの配列方向の両端部の夫々に配されたことを特徴とする請求項１記載のコネクタ装置。
【請求項６】
上記アクチュエータにおける上記突起部が回動軸部を成すことを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接触端子部を、固体印刷配線基板等とされる配線基板に電気的に接続された状態とするため、当該配線基板に連結されたもとで配線板状部材における接触端子部に押圧接触するコンタクトを備え、配線基板に装着されて使用されるコネクタ装置に関する。
【背景技術】
【０００２】
各種の電子機器に実装される比較的小型なフレキシブル印刷配線基板や平板状ケーブル等の配線板状部材は、各種の電気部品が取り付けられる配線基板への取付けが、当該配線基板に電気的接続がなされて装着されたコネクタ装置が用いられて行われることが多いものとされる。このような配線板状部材の配線基板への取付けにあたって用いられるコネクタ装置は、配線板状部材に設けられた接触端子部に接触接続される導電性のコンタクトを有していて、そのコンタクトを介して、配線板状部材に設けられた接触端子部を配線基板に設けられた配線部に電気的に接続する。
【０００３】
従来提案されている、例えば、フレキシブル印刷配線基板とされる配線板状部材の配線基板への取付けに用いられるコネクタ装置は、配線板状部材が差し込まれる差込み部が設けられたものとされて配線基板に配される、絶縁材料によって形成されたハウジングを有したものとされる。そして、多くの場合、斯かるハウジングに配列配置されて設けられ、配線板状部材が差込み部を通じてハウジングに差し込まれるとき、その配線板状部材に設けられた複数の接触端子部に夫々対応するものとなる複数のコンタクトと、ハウジングに対して回動可能に設けられ、複数のコンタクトの夫々に係合して、回動せしめられるとき複数のコンタクトの夫々における作動部を変位させ、それにより複数のコンタクトを複数の接触端子部に夫々押圧接触させるアクチュエータとが備えられている。
【０００４】
このようなコネクタ装置にあっては、アクチュエータは、例えば、全体が複数のコンタクトの配列方向に沿って伸びる細長形状をとり、カム部と操作部とが設けられていて、カム部において複数のコンタクトの夫々と係合し、操作部が操作されることにより、ハウジングに対して回動せしめられる。
【０００５】
複数のコンタクトの各々は、導電性の弾性材料で形成され、ハウジングに固定される部分である固定部と連結部により固定部に連結されて変位可能とされた部分である可動部とを有するものされる。そして、固定部は、ハウジングが配された配線基板における印刷配線部等の配線部に電気的に接続され、また、可動部は、配線板状部材に設けられた接触端子部に押圧接触する接触部が設けられたもとで、アクチュエータのカム部によって変位せしめられる。
【０００６】
そして、配線基板に配されたハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接触端子部のうちの対応するものに対する押圧接触状態をとらせる。また、複数のコンタクトの各々における可動部の接触部が配線板状部材に設けられた複数の接触端子部のうちの対応するもの押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接触端子部のうちの対応するものに対する押圧接触状態から解放する。
【０００７】
このようなもとで、ハウジングに対して回動可能とされるアクチュエータは、例えば、回動のための操作が加えられるとき等において、ハウジングからの不所望な離脱を生じないように設けられることが必要とされる。しかも、コネクタ装置は、通常、ハウジングが配された配線基板上において、当該配線基板の面に直交する方向の寸法である厚み方向寸法ができるだけ小となるようにされる、所謂、低背化を含めた全体の小型化が図られるものとされるので、全体寸法の増大をまねかない比較的簡単な構成をもって、アクチュエータがハウジングからの不所望な離脱を生じないものとされることが望まれる。
【０００８】
そのため、従来においては、ハウジングにおける複数のコンタクトの配列方向における両端部の夫々に設けられて、ハウジングが配される配線基板に半田付けにより固定される取付部材によりアクチュエータを係止して、アクチュエータのハウジングからの不所望な離脱を阻止しようとしたコネクタ装置が提案されている（例えば、特許文献１参照）。
【０００９】
特許文献１に示されるコネクタ装置（電気コネクタ(10)) においては、そのハウジング(30)における複数のコンタクト(20)の配列方向における両端部の夫々に、ハウジング(30)の配線基板（プリント配線基板）への取り付けに用いられる取付部材(50)が、配線基板に半田付けにより固定されるものとして設けられている。この取付部材(50)は、平坦な金属板を切り欠いて形成されていて、第１の腕部(51)と第２の腕部(52)とを有しており、第１の腕部(51)の先端部が配線基板に半田付けされる基板接続部(513) とされ、また、第２の腕部(52)の先端部が配線基板に半田付けされる基板接続部(523) とされている。
【００１０】
そして、第２の腕部(52)が、アクチュエータ(40)に設けられてコンタクト(20)に係合するカム(42)に対応する位置に配され、アクチュエータ(40)が後方（起立状態から倒伏状態へと移行するアクチュエータ(40)が向かう方向）に移動しようとするときには、それに伴って後方に移動するカム(42)が第２の腕部(52)に当接する。それにより、第２の腕部(52)が、アクチュエータ(40)に設けられたカム(42)に対する位置規制を行い、その結果、アクチュエータ(40)のハウジング(30)からその後方への不所望な離脱が阻止されることが期待される。
【先行技術文献】
【特許文献】
【００１１】
【特許文献１】特開２０１３−１３７９６８号公報（段落００１８〜００２７、図５、９〜１２）
【発明の概要】
【発明が解決しようとする課題】
【００１２】
上述のように、ハウジングに設けられて配線基板に半田付けにより固定される取付部材が有する腕部（第２の腕部）によって、アクチュエータに設けられたカムが位置規制される従来のコネクタ装置にあっては、アクチュエータのハウジングからの不所望な離脱の阻止に関して、次のような事柄が懸念されるところとなる。
【００１３】
アクチュエータに設けられたカムに対する位置規制を行う取付部材の腕部は、平坦な金属板によって形成されており、その先端部を成す基板接続部が、それにおける比較的小なる面積を有した端面部が配線基板に当接せしめられた状態をもって配線基板に半田付けされている。そして、斯かる腕部によって位置規制されるアクチュエータのカムが腕部に当接する際には、腕部に後方に向かう比較的大なる衝突力が作用する。それゆえ、腕部の先端部の配線基板に対する半田付けの状況によっては、カムが腕部に及ぼす衝突力によって腕部の先端部が配線基板から剥がれてしまい、腕部によるカムに対する位置規制が有効に行われなくなる事態がまねかれる虞がある。取付部材の腕部によるアクチュエータのカムに対する位置規制が有効に行われなくなると、アクチュエータのハウジングからその後方への不所望な離脱の阻止は望めないこととなってしまう。
【００１４】
従って、先端部が配線基板に半田付けされた取付部材の腕部によってアクチュエータに設けられたカムに対する位置規制を行うようにされた従来のコネクタ装置にあっては、アクチュエータが前述の後方に移動しようとするとき等において、当該アクチュエータがハウジングからの不所望な離脱を生じさせないようにする作用効果が、適正かつ安定に得られているということはできない。
【００１５】
斯かる点に鑑み、本願の特許請求の範囲に記載された発明は、例えば、フレキシブル印刷配線基板等とされる配線板状部材の配線基板への取付けに用いられる、板状部材差込み部が設けられたハウジングと、ハウジングに配列配置されて設けられる複数のコンタクトと、回動可能に配されて複数のコンタクトの夫々に係合し、回動操作されて、複数のコンタクトの夫々に板状部材差込み部を通じてハウジングに差し込まれた配線板状部材における接触端子部に対する押圧接触状態をとらせる位置と、複数のコンタクトの夫々を上述の押圧接触状態から解放する位置とを選択的にとるアクチュエータと、を備えたコネクタ装置であって、全体寸法の増大をまねかない比較的簡単な構成をもって、アクチュエータのハウジングからの不所望な離脱を適正かつ確実に防止することができるものを提供する。
【課題を解決するための手段】
【００１６】
本願の特許請求の範囲における請求項１から請求項６までのいずれかに記載された発明（以下、本願発明という。）に係るコネクタ装置は、板状部材差込み部が設けられたハウジングと、ハウジングに配列配置され、板状部材差込み部を通じてハウジングに差し込まれた配線板状部材における複数の接触端子部に夫々対応する位置をとるものとされる複数のコンタクトと、ハウジングに対して回動可能に設けられて第１の静止位置と第２の静止位置とを選択的にとり、複数のコンタクトに係合して、配線板状部材が板状部材差込み部を通じてハウジング内に差し込まれたもとで、第１の静止位置から第２の静止位置に移行せしめられるとき、複数のコンタクトの夫々に複数の接触端子部のうちの対応するものに対する押圧接触状態をとらせ、第２の静止位置から第１の静止位置に移行せしめられるとき、複数のコンタクトの夫々を複数の接触端子部のうちの対応するものに対する押圧接触状態から解放するアクチュエータと、ハウジングに配されてアクチュエータのハウジングからの離脱を防止する状態をとる固定部材と、を備えて構成され、固定部材が、ハウジングに固着される本体部と、本体部から伸びてアクチュエータにおける複数のコンタクトの配列方向の端部に設けられた突起部を部分的に囲う屈曲腕状部と、屈曲腕状部の先端部分を成してハウジングあるいは本体部から突出する突出部に連結される連結部とを有し、連結部がハウジングあるいは突出部に連結されたもとで、屈曲腕状部がアクチュエータにおける突起部に対する位置規制を行うことを特徴とするものとされる。
【００１７】
斯かる本願発明に係るコネクタ装置の一例においては、ハウジングにおける固定部材が有する屈曲腕状部の先端部分に対応する位置に孔部が設けられ、その孔部に屈曲腕状部の先端部分を成す連結部が挿入される。
【００１８】
また、本願発明に係るコネクタ装置の他の例においては、固定部材における屈曲腕状部の先端部分を成す連結部と本体部から突出する突出部とが一体化されて相互連結されることにより屈曲腕状部と連結部と突出部とを含んで成る環状体が形成され、その環状体の内側にアクチュエータにおける突起部が位置する。
【００１９】
上述のように構成される本願発明に係るコネクタ装置は、実際に使用される際には、ハウジングが配線基板に配されたものとされる。そして、以下においては、ハウジングにおける板状部材差込み部が設けられた端縁部を正面側端縁部といい、ハウジングにおける正面側端縁部に対向する反対側の端縁部を背面側端縁部という。
【００２０】
このような本願発明に係るコネクタ装置にあっては、ハウジングが配線基板に配されたもとで、アクチュエータが第１の静止位置から第２の静止位置へと移行せしめられるべく回動操作される際には、アクチュエータは、例えば、ハウジングが配された配線基板に対して立ち上がった状態からハウジングが配された配線基板に対してハウジングの背面側端縁部の背後側に伏した状態へと移行する。また、アクチュエータが第２の静止位置から第１の静止位置へと移行せしめられるべく回動操作される際には、アクチュエータは、例えば、ハウジングが配された配線基板に対してハウジングの背面側端縁部の背後側に伏した状態からハウジングが配された配線基板に対して立ち上がった状態へと移行する。
【００２１】
このようにして、例えば、ハウジングが配された配線基板に対して立ち上がった状態とされる第１の静止位置及びハウジングの背面側端縁部の背後側に伏した状態とされる第２の静止位置を選択的にとるアクチュエータは、それにおける複数のコンタクトの配列方向の端部に設けられた突起部が、ハウジングに配された固定部材による位置規制を受け、それにより、固定部材によってアクチュエータのハウジングからの離脱が阻止される。
【００２２】
アクチュエータのハウジングからの離脱を阻止する固定部材にあっては、ハウジングに固着される本体部から伸びてアクチュエータにおける突起部を部分的に囲う屈曲腕状部が、その先端部分を成す連結部がハウジングあるいは本体部から突出する突出部に連結されたものとされる。そして、連結部がハウジングあるいは突出部に連結されたもとで、屈曲腕状部がアクチュエータにおける突起部に対する位置規制を行い、その結果、アクチュエータにおける突起部が固定部材による位置規制を受ける状態が得られる。
【００２３】
斯かるもとで、固定部材における屈曲腕状部の先端部分を成す連結部は、例えば、ハウジングにおける屈曲腕状部の先端部分に対応する位置に設けられたた孔部に挿入されて固定されるもの、あるいは、本体部から突出する突出部と一体化されることにより突出部と連結されるものとされる。連結部と突出部とが一体化されて相互連結される場合には、屈曲腕状部と連結部と突出部とによる環状体が形成され、その環状体の内側にアクチュエータにおける突起部が位置せしめられる。
【発明の効果】
【００２４】
本願発明に係るコネクタ装置においては、上述のように、ハウジングに対して回動可能とされたアクチュエータが、それにおける複数のコンタクトの配列方向の端部に設けられた突起部がハウジングに配された固定部材における屈曲腕状部による位置規制を受けるものとされることにより、固定部材によってハウジングからの離脱が阻止される状態におかれる。その際、固定部材における屈曲腕状部は、その先端部分を成す連結部が、ハウジングに設けられた孔部に挿入されて固定されるもの、あるいは、本体部から突出する突出部と一体化されることにより突出部と連結されるものとされているので、たとえ、屈曲腕状部によって位置規制されるアクチュエータにおける突起部が、屈曲腕状部に当接し、それにより、当該屈曲腕状部に比較的大なる衝突力を作用させるとしても、斯かる衝突力を確実に受け止めて吸収し、変位や変形を生じない状態におかれており、その結果、固定部材によるアクチュエータのハウジングからの離脱が適正かつ確実に阻止されることになる。しかも、アクチュエータにおける突起部が屈曲腕状部に当接してそれに及ぼす衝突力を確実に受け止めて吸収する機構が、固定部材における屈曲腕状部の先端部分を成す連結部が、ハウジングに設けられた孔部に挿入されて固定されることにより、あるいは、本体部から突出する突出部と一体化されることにより突出部と連結されることにより、固定部材以外の部材を要することなく、構築されている。
【００２５】
従って、本願発明に係るコネクタ装置によれば、ハウジングに固着される本体部から伸びてアクチュエータにおける突起部を部分的に囲う屈曲腕状部を、その先端部分を成す連結部がハウジングあるいは本体部から突出する突出部に連結されたものとして有する固定部材が備えられて成る、全体寸法の増大や部材点数の増加をまねかない比較的簡単な構成をもって、アクチュエータのハウジングからの不所望な離脱を適正かつ確実に防止することができることになる。
【図面の簡単な説明】
【００２６】
【図１】本願発明に係るコネクタ装置の第１の例を、それに備えられたアクチュエータが第１の静止位置におかれた状態をもって示す正面側から見た斜視図である。
【図２】本願発明に係るコネクタ装置の第１の例を、それに備えられたアクチュエータが第１の静止位置におかれた状態をもって示す背面側から見た斜視図である。
【図３】本願発明に係るコネクタ装置の第１の例を、それに備えられたアクチュエータが第１の静止位置におかれた状態をもって示す正面図である。
【図４】本願発明に係るコネクタ装置の第１の例に備えられるアクチュエータを示す斜視図である。
【図５】本願発明に係るコネクタ装置の第１の例に備えられるアクチュエータを示す正面図である。
【図６】図３におけるVI−VI線断面を示す断面図である。
【図７】図３における VII−VII 線断面を示す断面図である。
【図８】図３におけるVIII−VIII線断面を示す断面図である。
【図９】本願発明に係るコネクタ装置の第１の例に備えられる固定部材を示す斜視図である。
【図１０】本願発明に係るコネクタ装置の第１の例に装着されるフレキシブル印刷配線基板を示す斜視図である。
【図１１】本願発明に係るコネクタ装置の第１の例に、それに備えられたアクチュエータが第１の静止位置におかれたもとで、フレキシブル印刷配線基板が装着された状態を示す斜視図である。
【図１２】本願発明に係るコネクタ装置の第１の例に、それに備えられたアクチュエータが第１の静止位置におかれたもとで、フレキシブル印刷配線基板が装着された状態を示す断面図である。
【図１３】本願発明に係るコネクタ装置の第１の例にフレキシブル印刷配線基板が装着されたもとで、本願発明に係るコネクタ装置の第１の例に備えられたアクチュエータが第２の静止位置におかれた状態を示す断面図である。
【図１４】本願発明に係るコネクタ装置の第１の例にフレキシブル印刷配線基板が装着されたもとで、本願発明に係るコネクタ装置の第１の例に備えられたアクチュエータが第２の静止位置におかれた状態を示す断面図である。
【図１５】本願発明に係るコネクタ装置の第２の例を、それに備えられたアクチュエータが第１の静止位置におかれた状態をもって示す背面側から見た斜視図である。
【図１６】本願発明に係るコネクタ装置の第２の例に備えられる固定部材を示す斜視図である。
【図１７】本願発明に係るコネクタ装置の第２の例についての、前述の図８に相当する断面図である。
【発明を実施するための形態】
【００２７】
本願発明を実施するための形態は、以下に述べられる本願発明についての実施例をもって説明される。
【実施例１】
【００２８】
図１（斜視図），図２（斜視図）及び図３（正面図）は、本願発明に係るコネクタ装置の第１の例を示す。
【００２９】
図１〜図３において、本願発明に係るコネクタ装置の一例を成すコネクタ装置１０は、合成樹脂等の絶縁材料によって形成され、電子機器等の配線基板に配されるハウジング１１を備えている。ハウジング１１には、その正面側端縁部に、例えば、フレキシブル印刷配線基板とされる配線板状部材が差し込まれる状態がとられる板状部材差込み部１２が設けられており、板状部材差込み部１２からハウジング１１の内部へと板状部材収容部１３（後述される図６及び図７に示されている。）が拡がっている。即ち、ハウジング１１には、その内部に、板状部材収容部１３が板状部材差込み部１２に連結されたものとして設けられていて、板状部材差込み部１２を通じて差し込まれた配線板状部材が板状部材収容部１３に収容されるのである。そして、ハウジング１１は、図１において矢印Ｌにより示される方向を長手方向とするものとされている。
【００３０】
また、ハウジング１１には、各々が弾性導電材料で形成された複数の第１のコンタクト１６と各々が弾性導電材料で形成された複数の第２のコンタクト１７とが、ハウジング１１の長手方向に沿う方向において交互に配される状態のもとに配列配置されて設けられている。複数の第１のコンタクト１６の夫々は、その大部分がハウジング１１の内部に収容されたものとされているが、図２に示されるように、一端部がハウジング１１における正面側端縁部に対向する背面側端縁部からその外部に突出して接続端子部１６ａを形成している。また、複数の第２のコンタクト１７の夫々も、その大部分がハウジング１１の内部に収容されたものとされているが、図１に示されるように、一端部がハウジング１１における正面側端縁部からその外部に突出して接続端子部１７ａを形成している。
【００３１】
コネクタ装置１０が実用に供される際には、ハウジング１１が、例えば、電子機器等の配線基板に取り付けられるが、ハウジング１１における長手方向である複数の第１のコンタクト１６及び複数の第２のコンタクト１７の配列方向（以下、コンタクト配列方向という。）の一対の側端部１８及び１９には、固定部材２０及び２１が夫々配されている。これらの固定部材２０及び２１は、ハウジング１１が配線基板に取り付けられるにあたって配線基板に固定され、ハウジング１１の配線基板への取付けに寄与する。
【００３２】
さらに、ハウジング１１における背面側端縁部側には、コンタクト配列方向、即ち、ハウジング１１の長手方向に沿って伸び、その長手方向がハウジング１１の長手方向に一致することになるアクチュエータ２５が、ハウジング１１に対して回動可能に設けられている。このアクチュエータ２５は、図１〜図３に示されるような、ハウジング１１に対して起き上がった状態におかれるものとされる位置を、第１の静止位置としてとることができ、また、後述される図１３及び図１４に示されるような、ハウジング１１に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３３】
図４及び図５に示されるように、アクチュエータ２５は、全体として、板状体を成すものとされており、斯かるアクチュエータ２５には、その長手方向に沿って配列配置された複数の透孔２６が形成されている。これらの透孔２６の夫々は、アクチュエータ２５がハウジング１１に対して回動可能に設けられて第１の静止位置をとるとき、ハウジング１１に配列配置されて交互に配された複数の第１のコンタクト１６及び複数の第２のコンタクト１７の夫々におけるハウジング１１の背面側端縁部側の端部が貫通するものとされている。そして、複数の透孔２６の夫々の内部には、アクチュエータ２５がハウジング１１に対して回動可能に設けられたもとで、ハウジング１１に配列配置されて交互に配された複数の第１のコンタクト１６及び複数の第２のコンタクト１７の夫々におけるハウジング１１の背面側端縁部側の端部に係合するカム部２７が、楕円状の断面形状を有するものとして設けられている。従って、アクチュエータ２５には、複数のカム部２７が配列配置されて設けられていることになる。
【００３４】
また、アクチュエータ２５におけるその長手方向、即ち、アクチュエータ２５がハウジング１１に対して回動可能に設けられたもとにおけるコンタクト配列方向の両端部を成す端部２８及び２９には、突起部３０及び３１が夫々形成されている。これらの突起部３０及び３１の夫々は、回動軸部を成すものとされている。
【００３５】
ハウジング１１に配列配置されて設けられた複数の第１のコンタクト１６の夫々は、図３におけるVI−VI線断面を示す図６に示されるように、金属板材等の弾性導電材料で形成された、全体として「エ」字状を成す板状部材とされている。このような「エ」字状とされた第１のコンタクト１６にあっては、連結部３５によって相互連結された一対のビーム部３６及び３７のうち、ビーム部３６がハウジング１１に固定される固定部とされて、ビーム部３７が作動部とされる。そして、固定部とされるビーム部３６の板状部材差込み部１２側の部分と作動部とされるビーム部３７の板状部材差込み部１２側の部分とは、ハウジング１１の厚み方向において相互対向するものとされてハウジング１１内の板状部材収容部１３に配されている。固定部とされるビーム部３６の一端部は、ハウジング１１の背面側端縁部からその外部に導出されて接続端子部１６ａを成すものとされており、ハウジング１１が配される配線基板に設けられた配線部に接続される。
【００３６】
また、ハウジング１１に配列配置されて設けられる複数の第２のコンタクト１７の夫々も、図３における VII−VII 線断面を示す図７に示されるように、金属板材等の弾性導電材料で形成された、全体として「エ」字状を成す板状部材とされている。このような「エ」字状とされた第２のコンタクト１７にあっては、連結部３８によって相互連結された一対のビーム部３９及び４０のうち、ビーム部３９がハウジング１１に固定される固定部とされて、ビーム部４０が作動部とされる。そして、固定部とされるビーム部３９の板状部材差込み部１２側の部分と作動部とされるビーム部４０の板状部材差込み部１２側の部分とは、ハウジング１１の厚み方向において相互対向するものとされてハウジング１１内の板状部材収容部１３に配されている。固定部とされるビーム部３９の一端部は、ハウジング１１の正面側端縁部からその外部に導出されて接続端子部１７ａを成すものとされており、ハウジング１１が配される配線基板に設けられた配線部に接続される。
【００３７】
斯かるもとで、ハウジング１１に対して回動可能に配されたアクチュエータ２５に配列配置されて設けられた複数のカム部２７のうちの一つ置のものが、図６に示されるように、複数の第１のコンタクト１６のうちの対応するものにおけるビーム部３６の接続端子部１６ａを成す一端部の近傍となる部分３６ａとそれに対向するビーム部３７の端部３７ａとに挟まれていて、アクチュエータ２５の回動に伴って回動する状態におかれ、また、複数のカム部２７のうちの他の一つ置のものが、図７に示されるように、複数の第２のコンタクト１７のうちの対応するものにおけるビーム部３９の端部３９ａとそれに対向するビーム部４０の端部４０ａとに挟まれていて、アクチュエータ２５の回動に伴って回動する状態におかれる。
【００３８】
アクチュエータ２５が、図１〜図３及び図６及び図７に示されるように、第１の静止位置をとるもとにあっては、複数のカム部２７の夫々における断面差渡し径が極大となる極大寸法部以外の部分が、対応する第１のコンタクト１６におけるビーム部３６の部分３６ａ、または、対応する第２のコンタクト１７におけるビーム部３９の端部３９ａに当接する。斯かる状況のもとでは、カム部２７に対応する第１のコンタクト１６は、固定部を成すビーム部３６の端部３６ｂと作動部を成すビーム部３７の端部３７ｂとが、ハウジング１１内の板状部材収容部１３において形成する相互間間隔を、比較的大なるものに維持するものとされ、また、カム部２７に対応する第２のコンタクト１７は、固定部を成すビーム部３９の接続端子部１７ａを成す一端部側の部分３９ｂと作動部を成すビーム部４０の端部４０ｂとが、ハウジング１１内の板状部材収容部１３において形成する相互間間隔を、比較的大なるものに維持するものとされる。
【００３９】
さらに、図３におけるVIII−VIII線断面を示す図８に示されるように、アクチュエータ２５の端部２９に形成された突起部３１が、ハウジング１１における側端部１９に配された固定部材２１に係合する状態におかれる。固定部材２１は、金属板材に打抜き加工が施されて形成されており、図９に単独で示されるように、ハウジング１１に固定される本体部４１と、本体部４１の一端から伸びる屈曲腕状部４２と、本体部４１の他端に設けられた基板接続部４３と、本体部４１の両端間における中間部から突出する係合部４４とを有している。屈曲腕状部４２の先端部分は連結部４２ａとされている。
【００４０】
そして、固定部材２１がハウジング１１の側端部１９に配されたもとにあっては、図８に示されるように、本体部４１がハウジング１１の長手方向に直交する方向に伸びる状態におかれる。斯かるもとにおいて、係合部４４がハウジング１１の側端部１９に設けられた孔部４５に圧入係合するものとされて、固定部材２１の全体がハウジング１１の側端部１９に固定される。また、屈曲腕状部４２が、アクチュエータ２５における端部２９に設けられた突起部３１を部分的に囲うものとされ、その先端部分を成す連結部４２ａが、ハウジング１１の側端部１９に設けられた孔部４６に挿入されてハウジング１１に連結される。
【００４１】
また、図示は省略されているが、アクチュエータ２５の端部２８に形成された突起部３０が、ハウジング１１における側端部１８に配された固定部材２０に係合する状態におかれる。固定部材２０は、図９に示される固定部材２１と同様に、金属板材に打抜き加工が施されて形成されており、ハウジング１１に固定される本体部と、本体部の一端から伸びる屈曲腕状部と、本体部の他端に設けられた基板接続部と、本体部の両端間における中間部から突出する係合部とを有している。屈曲腕状部の先端部分は連結部とされている。
【００４２】
そして、固定部材２０がハウジング１１の側端部１８に配されたもとにあっては、固定部材２０の本体部がハウジング１１の長手方向に直交する方向に伸びる状態におかれる。斯かるもとにおいて、固定部材２０の係合部がハウジング１１の側端部１８に設けられた孔部に圧入係合するものとされて、固定部材２０の全体がハウジング１１の側端部１８に固定される。また、固定部材２０の屈曲腕状部が、アクチュエータ２５における端部２８に設けられた突起部３０を部分的に囲うものとされ、その先端部分を成す連結部が、ハウジング１１の側端部１８に設けられた孔部に挿入されてハウジング１１に連結される。
【００４３】
このようにして、一対の側端部１８及び１９に固定部材２０及び２１が夫々配されたハウジング１１が配線基板に取り付けられる際には、固定部材２０における本体部の他端に設けられた基板接続部及び固定部材２１における本体部４１の他端に設けられた基板接続部４３の夫々が、例えば、半田付けによって配線基板に接続されて固定され、それにより、ハウジング１１の全体が配線基板に固定される。
【００４４】
図１０は、配線基板に取り付けられたコネクタ装置１０のハウジング１１に、その正面側端縁部に設けられた板状部材差込み部１２を通じて差し込まれる配線板状部材の一例を成すフレキシブル印刷配線基板５０を示す。フレキシブル印刷配線基板５０には、その一端部において、複数の第１の接触端子部５１と複数の第２の接触端子部５２とが、ハウジング１１に対する板状部材差込み部１２を通じた差込みまたは抜出し方向に直交する方向において交互に配される状態のもとに配列配置されている（以下、複数の第１の接触端子部５１と複数の第２の接触端子部５２とが配列配置されたフレキシブル印刷配線基板５０の一端部を端子端部という。）。
【００４５】
このようなフレキシブル印刷配線基板５０に対応して、コネクタ装置１０にあっては、ハウジング１１に配列配置されて設けられた複数の第１のコンタクト１６が、フレキシブル印刷配線基板５０に配列配置された複数の第１の接触端子部５１に夫々接触接続される信号用コンタクトとして設けられており、また、ハウジング１１に配列配置されて設けられた複数の第２のコンタクト１７が、フレキシブル印刷配線基板５０に配列配置された複数の第２の接触端子部５２に夫々接触接続される信号用コンタクトとして設けられている。但し、複数の第１のコンタクト１６及び複数の第２のコンタクト１７は、フレキシブル印刷配線基板５０とは別の他のフレキシブル印刷配線基板における複数の信号接続端子部及び接地接続部に接触接続される信号用及び接地用コンタクトとして用いられてもよい。
【００４６】
コンタクト配列方向を長手方向とするハウジング１１は、板状部材差込み部１２を通じたフレキシブル印刷配線基板５０を差込みまたは抜出し方向を奥行き方向とし、その長手方向及び奥行き方向に直交する方向を厚み方向とするものとされる。そして、フレキシブル印刷配線基板５０は、板状部材差込み部１２を通じてハウジング１１に差し込まれるにあたっては、その端子端部における複数の第１の接続端子部５１及び複数の第２の接続端子部５２が配された面及びそれに対向する面が、ハウジング１１の厚み方向において相互対向する状態におかれる。
【００４７】
そして、図１１に示されるように、コネクタ装置１０においてアクチュエータ２５が第１の静止位置をとる状態のもとで、図１０に示されるフレキシブル印刷配線基板５０が、その端子端部をもって、ハウジング１１に、板状部材差込み部１２を通じて、ハウジング１１の奥行き方向に沿って差し込まれる。フレキシブル印刷配線基板５０における端子端部のハウジング１１への板状部材差込み部１２を通じた差込みが完了すると、フレキシブル印刷配線基板５０の端子端部が、ハウジング１１に設けられた板状部材収容部１３に収容され、ハウジング１１に差し込まれたフレキシブル印刷配線基板５０が板状部材収容部１３に部分的に収容された状態とされる。このとき、板状部材収容部１３に部分的に収容されたフレキシブル印刷配線基板５０の端子端部は、板状部材収容部１３内において、複数の第１のコンタクト１６の夫々におけるビーム部３６の板状部材差込み部１２側の部分とビーム部３７の板状部材差込み部１２側の部分との間、及び、複数の第２のコンタクト１７の夫々におけるビーム部３９の板状部材差込み部１２側の部分とビーム部４０の板状部材差込み部１２側の部分との間に配される。
【００４８】
このようにして、フレキシブル印刷配線基板５０がハウジング１１内の板状部材収容部１３に部分的に収容されたもとにあっては、ハウジング１１に配列配置された複数の第１のコンタクト１６が、板状部材収容部１３に部分的に収容されたフレキシブル印刷配線基板５０における複数の第１の接触端子部５１に夫々適正に対応する位置をとるものとされるとともに、ハウジング１１に配列配置された複数の第２のコンタクト１７が、板状部材収容部１３に部分的に収容されたフレキシブル印刷配線基板５０における複数の第２の接触端子部５２に夫々適正に対応する位置をとるものとされる。
【００４９】
また、このとき、図１２に示されるように、アクチュエータ２５における端部２９に設けられた突起部３１が、ハウジング１１の側端部１９に配された固定部材２１における屈曲腕状部４２によって部分的に囲われている。このとき、屈曲腕状部４２は、その先端部分を成す連結部４２ａがハウジング１１に設けられた孔部４６に挿入されてハウジング１１に連結された状態におかれている。さらに、図示は省略されているが、アクチュエータ２５における端部２８に設けられた突起部３０が、ハウジング１１の側端部１８に配された固定部材２０における屈曲腕状部によって部分的に囲われている。このとき、固定部材２０における屈曲腕状部は、その先端部分を成す連結部がハウジング１１に設けられた孔部に挿入されてハウジング１１に連結された状態におかれている。
【００５０】
その後、アクチュエータ２５が、第１の静止位置から第２の静止位置へとハウジング１１に対して回動せしめられ、図１３及び図１４に示されるように、第２の静止位置をとるものとされると、板状部材収容部１３に部分的に収容されたフレキシブル印刷配線基板５０に対して、ハウジング１１に配列配置された複数の第１のコンタクト１６及び複数の第２のコンタクト１７が係合する状態がとられる。このような板状部材収容部１３に部分的に収容されたフレキシブル印刷配線基板５０に対する複数の第１のコンタクト１６及び複数の第２のコンタクト１７の係合は、複数の第１のコンタクト１６が、フレキシブル印刷配線基板５０における複数の第１の接触端子部５１に夫々押圧接触するものとされるとともに、複数の第２のコンタクト１７が、フレキシブル印刷配線基板５０における複数の第２の接触端子部５２に夫々押圧接触するものとされることによりなされる。
【００５１】
斯かる際においては、先ず、アクチュエータ２５が第１の静止位置をとり、ハウジング１１に板状部材差込み部１２を通じて差し込まれたフレキシブル印刷配線基板５０の端子端部が、ハウジング１１に設けられた板状部材収容部１３内において、複数の第１のコンタクト１６の夫々におけるビーム部３６の板状部材差込み部１２側の部分とビーム部３７の板状部材差込み部１２側の部分との間、及び、複数の第２のコンタクト１７の夫々におけるビーム部３９の板状部材差込み部１２側の部分とビーム部４０の板状部材差込み部１２側の部分との間に配されたもとにおいて、第１の静止位置をとるアクチュエータ２５が、回動操作されることにより、第１の静止位置から第２の静止位置に移行すべく回動せしめられ、ハウジング１１に対して伏した状態におかれる。それにより、アクチュエータ２５の第１の静止位置から第２の静止位置への移行に伴って、図１３に示されるように、アクチュエータ２５に設けられた複数のカム部２７のうちの一つ置きのものの夫々が、その極大寸法部を対応する第１のコンタクト１６における固定部を成すビーム部３６の部分３６ａと作動部を成すビーム部３７の端部３７ａとの両者に係合させる。
【００５２】
第１のコンタクト１６におけるビーム部３６の部分３６ａとビーム部３７の端部３７ａとの両者に係合するカム部２７の極大寸法部は、ビーム部３７の端部３７ａをビーム部３６の部分３６ａから離隔させる方向に変位させて、ビーム部３７に、仮にフレキシブル印刷配線基板５０の端子端部が板状部材収容部１３に収容されていないとすれば、ビーム部３６の端部３６ｂとビーム部３７の端部３７ｂとが板状部材収容部１３内において形成する相互間間隔を狭めるように変位させることになる応力を作用させる。それにより、ビーム部３７は、その端部３７ｂが板状部材収容部１３に収容されたフレキシブル印刷配線基板５０の端子端部における複数の第１の接触端子部５１のうちの対応するものに押圧接触することになり、複数の第１のコンタクト１６の夫々が、複数の第１の接触端子部５１のうちの対応するものに対する押圧接触状態におかれる。それにより、板状部材収容部１３に収容されたフレキシブル印刷配線基板５０の端子端部における複数の第１の接触端子部５１の夫々が、対応する第１のコンタクト１６を通じて、ハウジング１１が配された配線基板に設けられた配線部に電気的に接続されることになる。
【００５３】
また、アクチュエータ２５の第１の静止位置から第２の静止位置への移行に伴って、図１４に示されるように、アクチュエータ２５に設けられた複数のカム部２７のうちの他の一つ置きのものの夫々が、その極大寸法部を対応する第２のコンタクト１７における固定部を成すビーム部３９の端部３９ａと作動部を成すビーム部４０の端部４０ａとの両者に係合させる。
【００５４】
第２のコンタクト１７におけるビーム部３９の端部３９ａとビーム部４０の端部４０ａとの両者に係合するカム部２７の極大寸法部は、ビーム部４０の端部４０ａをビーム部３９の端部３９ａから離隔させる方向に変位させて、ビーム部４０に、仮にフレキシブル印刷配線基板５０の端子端部が板状部材収容部１３に収容されていないとすれば、ビーム部３９の部分３９ｂとビーム部４０の端部４０ｂとが板状部材収容部１３内において形成する相互間間隔を狭めるように変位させることになる応力を作用させる。それにより、ビーム部４０は、その端部４０ｂが板状部材収容部１３に収容されたフレキシブル印刷配線基板５０の端子端部における複数の第２の接触端子部５２のうちの対応するものに押圧接触することになり、複数の第２のコンタクト１７の夫々が、複数の第２の接触端子部５２のうちの対応するものに対する押圧接触状態におかれる。それにより、板状部材収容部１３に収容されたフレキシブル印刷配線基板５０の端子端部における複数の第２の接触端子部５２の夫々が、対応する第２のコンタクト１７を通じて、ハウジング１１が配された配線基板に設けられた配線部に電気的に接続されることになる。
【００５５】
斯かる際、アクチュエータ２５が、第１の静止位置から第２の静止位置へと移行せしめられるべく回動操作されるにあたり、ハウジング１１における背面側端縁部の外側に向かって移動せしめられる事態がもたらされたとすると、それに伴って、アクチュエータ２５における端部２９に設けられた突起部３１が、ハウジング１１の背面側端縁部の外側に向かって移動して、図１２に示されるように当該突起部３１を部分的に囲うものとされた固定部材２１における屈曲腕状部４２に当接する。それにより、突起部３１が、屈曲腕状部４２によって位置規制される。このとき、屈曲腕状部４２は、その先端部分を成す連結部４２ａがハウジング１１に設けられた孔部４６に挿入されてハウジング１１に連結された状態におかれているので、それに当接する突起部３１が比較的大なる衝突力を及ぼすとしても、変形や破損等を生じることなく、突起部３１に対する位置規制を適正かつ確実に行う。
【００５６】
また、それとともに、アクチュエータ２５のハウジング１１における背面側端縁部の外側に向かう移動に伴って、アクチュエータ２５における端部２８に設けられた突起部３０も、ハウジング１１の背面側端縁部の外側に向かって移動して、当該突起部３０を部分的に囲うものとされた固定部材２０における屈曲腕状部に当接する。それにより、突起部３０が、固定部材２０における屈曲腕状部によって位置規制される。このとき、固定部材２０における屈曲腕状部は、その先端部分を成す連結部がハウジング１１に設けられた孔部に挿入されてハウジング１１に連結された状態におかれているので、それに当接する突起部３０が比較的大なる衝突力を及ぼすとしても、変形や破損等を生じることなく、突起部３０に対する位置規制を適正かつ確実に行う。
【００５７】
その結果、アクチュエータ２５がハウジング１１における背面側端縁部の外側に向かって移動せしめられる事態がもたらされたとしても、アクチュエータ２５のハウジング１１における背面側端縁部側からその外側への不所望な離脱が適正かつ確実に防止されることになる。
【実施例２】
【００５８】
図１５は、本願発明に係るコネクタ装置の第２の例を示す。
【００５９】
図１５に示される本願発明に係るコネクタ装置の第２の例を成すコネクタ装置６０は、多くの部分が上述された実施例１を成すコネクタ装置１０と同様に構成されており、図１５においては、実施例１を成すコネクタ装置１０の各部に対応する部分が、コネクタ装置１０と共通の符号が付されて示されている。コネクタ装置６０におけるコネクタ装置１０と共通の符号が付された部分についての詳細説明は省略される。
【００６０】
コネクタ装置６０にあっては、ハウジング１１における長手方向（コンタクト配列方向）の一対の側端部１８及び１９に、固定部材６１及び６２が夫々配されている。これらの固定部材６１及び６２は、実施例１を成すコネクタ装置１０における固定部材２０及び２１と同様に、ハウジング１１が配線基板に取り付けられるにあたって配線基板に固定され、ハウジング１１の配線基板への取付けに寄与する。
【００６１】
固定部材６２を単独で示す図１６に示されるように、固定部材６２は、金属板材に打抜き加工が施されて形成されており、ハウジング１１に固定される本体部６３と、本体部６３の一端から伸びる屈曲腕状部６４と、本体部６３の他端に設けられた基板接続部６５と、本体部６３の両端間における中間部から突出する係合部６６とを有している。そして、屈曲腕状部６４の先端部分を成す連結部６４ａが、本体部６３から突出する突出部６７の先端部分に連結されて、突出部６７と一体化されている。即ち、屈曲腕状部６４の先端部分を成す連結部６４ａと本体部６３から突出する突出部６７とが一体化されて相互連結されているのであり、それにより、屈曲腕状部６４と連結部６４ａと突出部６７とを含んで成る環状体が形成されている。
【００６２】
そして、固定部材６２がハウジング１１の側端部１９に配されたもとにあっては、図１７に示されるように、本体部６３がハウジング１１の長手方向に直交する方向に伸びる状態におかれる。斯かるもとにおいて、固定部材６２の係合部６６がハウジング１１の側端部１９に設けられた孔部４５に圧入係合するものとされて、固定部材６２の全体がハウジング１１の側端部１９に固定される。また、固定部材６２における屈曲腕状部６４が、アクチュエータ２５における端部２９に設けられた突起部３１を部分的に囲うものとされており、その突起部３１が、固定部材６２における屈曲腕状部６４と連結部６４ａと突出部６７とを含んで成る環状体の内側に位置するものとされている。
【００６３】
また、固定部材６１も、金属板材に打抜き加工が施されて形成されており、固定部材６２と同様に、ハウジング１１に固定される本体部７０と、本体部７０の一端から伸びる屈曲腕状部７１と、本体部７０の他端に設けられた基板接続部７２と、本体部７０の両端間における中間部から突出する係合部（図にあらわれない。）とを有している。そして、屈曲腕状部７１の先端部分を成す連結部７１ａが、本体部７０から突出する突出部７３の先端部分に連結されて、突出部７３と一体化されている。即ち、屈曲腕状部７１の先端部分を成す連結部７１ａと本体部７０から突出する突出部７３とが一体化されて相互連結されているのであり、それにより、屈曲腕状部７１と連結部７１ａと突出部７３とを含んで成る環状体が形成されている。
【００６４】
そして、固定部材６１がハウジング１１の側端部１８に配されたもとにあっては、本体部７０がハウジング１１の長手方向に直交する方向に伸びる状態におかれる。斯かるもとにおいて、固定部材６１の係合部がハウジング１１の側端部１８に設けられた孔部に圧入係合するものとされて、固定部材６１の全体がハウジング１１の側端部１８に固定される。また、固定部材６１における屈曲腕状部７１が、アクチュエータ２５における端部２８に設けられた突起部３０を部分的に囲うものとされており、その突起部３０が、固定部材６１における屈曲腕状部７１と連結部７１ａと突出部７３とを含んで成る環状体の内側に位置するものとされている。
【００６５】
コネクタ装置６０におけるその他の部分は、実施例１を成すコネクタ装置１０と同様に構成されており、実施例１を成すコネクタ装置１０の場合と同様に作動する。
【００６６】
斯かるもとで、アクチュエータ２５が、第１の静止位置から第２の静止位置へと移行せしめられるべく回動操作されるにあたり、ハウジング１１における背面側端縁部の外側に向かって移動せしめられる事態がもたらされたとすると、それに伴って、アクチュエータ２５における端部２９に設けられた突起部３１が、ハウジング１１の背面側端縁部の外側に向かって移動して、図１７に示されるように当該突起部３１を部分的に囲うものとされた固定部材６２における屈曲腕状部６４に当接する。それにより、突起部３１が、屈曲腕状部６４によって位置規制される。このとき、屈曲腕状部６４は、その先端部分を成す連結部６４ａが本体部６３から突出する突出部６７の先端部分に連結されて、突出部６７と一体化されているので、それに当接する突起部３１が比較的大なる衝突力を及ぼすとしても、変形や破損等を生じることなく、突起部３１に対する位置規制を適正かつ確実に行う。
【００６７】
また、それとともに、アクチュエータ２５のハウジング１１における背面側端縁部の外側に向かう移動に伴って、アクチュエータ２５における端部２８に設けられた突起部３０も、ハウジング１１の背面側端縁部の外側に向かって移動して、当該突起部３０を部分的に囲うものとされた固定部材６１における屈曲腕状部７１に当接する。それにより、突起部３０が、固定部材６１における屈曲腕状部７１によって位置規制される。このとき、固定部材６１における屈曲腕状部７１は、その先端部分を成す連結部７１ａが本体部７０から突出する突出部７３の先端部分に連結されて、突出部７３と一体化されているので、それに当接する突起部３０が比較的大なる衝突力を及ぼすとしても、変形や破損等を生じることなく、突起部３０に対する位置規制を適正かつ確実に行う。
【００６８】
その結果、アクチュエータ２５がハウジング１１における背面側端縁部の外側に向かって移動せしめられる事態がもたらされたとしても、アクチュエータ２５のハウジング１１における背面側端縁部側からその外側への不所望な離脱が適正かつ確実に防止されることになる。
【００６９】
従って、一対の側端部１８及び１９に固定部材６１及び６２が夫々配されたハウジング１１を備えたコネクタ装置６０も、実施例１のコネクタ装置１０と同様に作動し、斯かるコネクタ装置６０によれば、実施例１のコネクタ装置１０の場合と同様な作用効果が得られることになる。
【００７０】
上述の本願発明についての実施例１のコネクタ装置１０あるいは実施例２のコネクタ装置６０においては、ハウジング１１に対して回動可能とされたアクチュエータ２５が、それにおけるコンタクト配列方向の端部２８及び２９に夫々設けられた突起部３０及び３１が、ハウジング１１に配された固定部材２０における屈曲腕状部及び固定部材２１における屈曲腕状部４２、あるいは、ハウジング１１に配された固定部材６１における屈曲腕状部７１及び固定部材６２における屈曲腕状部６４による位置規制を夫々受けるものとされることにより、固定部材２０及び２１、あるいは、固定部材６１及び６２によってハウジング１１からの離脱が阻止される状態におかれる。その際、固定部材２０における屈曲腕状部の先端部分を成す連結部がハウジング１１に設けられた孔部に挿入されて固定されるとともに、固定部材２１における屈曲腕状部４２の先端部分を成す連結部４２ａがハウジング１１に設けられた孔部４６に挿入されて固定されるものとされ、あるいは、固定部材６１における屈曲腕状部７１の先端部分を成す連結部７１ａが、固定部材６１の本体部７０から突出する突出部７３と一体化されることにより突出部７３と連結されるとともに、固定部材６２における屈曲腕状部６４の先端部分を成す連結部６４ａが、固定部材６２の本体部６３から突出する突出部６７と一体化されることにより突出部６７と連結されるものとされている。
【００７１】
それにより、たとえ、固定部材２０における屈曲腕状部及び固定部材２１における屈曲腕状部４２、あるいは、固定部材６１における屈曲腕状部７１及び固定部材６２における屈曲腕状部６４によって夫々位置規制されるアクチュエータ２５における突起部３０及び３１が、固定部材２０における屈曲腕状部及び固定部材２１における屈曲腕状部４２、あるいは、固定部材６１における屈曲腕状部７１及び固定部材６２における屈曲腕状部６４に夫々当接して、それらに比較的大なる衝突力を作用させるとしても、固定部材２０における屈曲腕状部及び固定部材２１における屈曲腕状部４２、あるいは、固定部材６１における屈曲腕状部７１及び固定部材６２における屈曲腕状部６４は、斯かる衝突力を確実に受け止めて吸収し、変位や変形を生じない状態におかれており、その結果、固定部材２０及び２１、あるいは、固定部材６１及び６２によるアクチュエータ２５のハウジング１１からの離脱が適正かつ確実に阻止されることになる。しかも、アクチュエータ２５における突起部３０及び３１が固定部材２０における屈曲腕状部及び固定部材２１における屈曲腕状部４２、あるいは、固定部材６１における屈曲腕状部７１及び固定部材６２における屈曲腕状部６４に夫々当接してそれらに及ぼす衝突力を確実に受け止めて吸収する機構が、固定部材２０における屈曲腕状部の先端部分を成す連結部がハウジング１１に設けられた孔部に挿入されて固定されるとともに、固定部材２１における屈曲腕状部４２の先端部分を成す連結部４２ａがハウジング１１に設けられた孔部４６に挿入されて固定されることにより、あるいは、固定部材６１における屈曲腕状部７１の先端部分を成す連結部７１ａが固定部材６１の本体部７０から突出する突出部７３と一体化されることにより突出部７３と連結されるとともに、固定部材６２における屈曲腕状部６４の先端部分を成す連結部６４ａが、固定部材６２の本体部６３から突出する突出部６７と一体化されることにより突出部６７と連結されることにより、固定部材２０及び２１、あるいは、固定部材６１及び６２以外の部材を要することなく、構築されている。
【００７２】
従って、実施例１のコネクタ装置１０あるいは実施例２のコネクタ装置６０によれば、ハウジング１１に固着される本体部から伸びてアクチュエータ２５における突起部３０を部分的に囲う屈曲腕状部を、その先端部分を成す連結部がハウジング１１に連結されたものとして有する固定部材２０、及び、ハウジング１１に固着される本体部４１から伸びてアクチュエータ２５における突起部３１を部分的に囲う屈曲腕状部４２を、その先端部分を成す連結部４２ａがハウジング１１に連結されたものとして有する固定部材２１、あるいは、ハウジング１１に固着される本体部７０から伸びてアクチュエータ２５における突起部３０を部分的に囲う屈曲腕状部７１を、その先端部分を成す連結部７１ａが本体部７０から突出する突出部７３に連結されたものとして有する固定部材６１、及び、ハウジング１１に固着される本体部６３から伸びてアクチュエータ２５における突起部３１を部分的に囲う屈曲腕状部６４を、その先端部分を成す連結部６４ａが本体部６３から突出する突出部６７に連結されたものとして有する固定部材６２が備えられて成る、全体寸法の増大や部材点数の増加をまねかない比較的簡単な構成をもって、アクチュエータ２５のハウジング１１からの不所望な離脱を適正かつ確実に防止することができることになる。
【産業上の利用可能性】
【００７３】
以上のような本願発明に係るコネクタ装置は、フレキシブル印刷配線基板等とされる配線板状部材の他の配線基板への取付けに用いられる、板状部材差込み部が設けられたハウジングと、ハウジングに配列配置されて設けられた複数のコンタクトと、ハウジングに対して回動可能に設けられて複数のコンタクトに係合するアクチュエータとを備えたコネクタ装置であって、全体寸法の増大をまねかない比較的簡単な構成をもって、アクチュエータのハウジングからの不所望な離脱を適正かつ確実に防止することができるものとして、様々な電子機器等に広く適用され得るものである。
【符号の説明】
【００７４】
１０，６０・・・コネクタ装置，  １１・・・ハウジング，  １２・・・板状部材差込み部，  １３・・・板状部材収容部，  １６・・・第１のコンタクト，  １７・・・第２のコンタクト，  １８，１９・・・（ハウジング１１の）側端部，  ２０，２１，６１，６２・・・固定部材，  ２５・・・アクチュエータ，  ２６，４５，４６・・・透孔，  ２７・・・カム部，  ２８，２９・・・（アクチュエータ２５の）端部，  ３０，３１・・・突起部，  ３５，３８，４２ａ，６４ａ，７１ａ・・・連結部，  ３６，３７，３９，４０・・・ビーム部，  ４１，６３，７０・・・本体部，  ４２，６４，７１・・・屈曲腕状部，  ４３，６５，７２・・・基板接続部，  ４４，６６・・・係合部，  ５０・・・フレキシブル印刷配線基板，  ６７，７３・・・突出部
【図１】
2016081754.tif 000003
【図２】
2016081754.tif 000004
【図３】
2016081754.tif 000005
【図４】
2016081754.tif 000006
【図５】
2016081754.tif 000007
【図６】
2016081754.tif 000008
【図７】
2016081754.tif 000009
【図８】
2016081754.tif 000010
【図９】
2016081754.tif 000011
【図１０】
2016081754.tif 000012
【図１１】
2016081754.tif 000013
【図１２】
2016081754.tif 000014
【図１３】
2016081754.tif 000015
【図１４】
2016081754.tif 000016
【図１５】
2016081754.tif 000017
【図１６】
2016081754.tif 000018
【図１７】
2016081754.tif 000019